(57)【要約】【課題】安価にて操作表示部の発光素子による光ムラを無くし、視認性を高めること。【解決手段】表示ケース３は、発光素子２に対応して複数の枠が小さい小枠表示窓１５と枠が大きい大枠表示窓１６とで構成された表示窓４を形成するとともに、各発光素子２を上方から囲むように遮光リブ５を形成し、プリント基板１は、発光素子２取付け側表面に、小枠表示窓１５に対応して明度の低い暗色印刷部１４がシルク印刷され、大枠表示窓１６に対応して明度の高い明色印刷部１３がシルク印刷された構成とすることにより、操作表示部３１の表示窓４の大きさに大小があっても、発光素子２を個々に電流調整して明るさに差を設けることなく表示部９全体の光ムラを無くし、視認性を高めることができる。【選択図】図２
2017018189.tif 000002
【特許請求の範囲】
【請求項１】
操作及び表示を行う操作表示装置が設けられ、前記操作表示部は、上面側に設けられた表示ケースと、下面側に設けられたコントローラカバーと、前記表示ケースの表面に貼付され透明または半透明材料から成り表面または裏面に印刷されたパネルシートと、前記表示ケースと前記コントローラカバーの間に収納され、入力設定を行なうための複数のタクトスイッチや設定内容や進行状況などを表示するための発光ダイオードからなる複数の発光素子などの電子部品を搭載したプリント基板とを備え、前記表示ケースは、前記発光素子に対応して複数の枠が小さい小枠表示窓と枠が大きい大枠表示窓とで構成された表示窓を形成するとともに、前記各発光素子を上方から囲むように遮光リブを形成し、前記プリント基板は、前記発光素子取付け側表面に、前記小枠表示窓に対応して明度の低い暗色印刷部がシルク印刷され、前記大枠表示窓に対応して明度の高い明色印刷部がシルク印刷された洗濯機。
【発明の詳細な説明】
【技術分野】
【０００１】
本発明は、操作表示装置を備えた洗濯機に関するものである。
【背景技術】
【０００２】
従来、この種の洗濯機は、本体前部に運転コースの設定や設定した内容などを表示する操作表示部を有しており、操作表示部の表示部には、視認性を高めるために、発光ダイオードを搭載する構成が提案されてきた（例えば、特許文献１参照）。
【０００３】
図４は、特許文献１に記載された従来の洗濯機の表示部の部分ブロック回路図である。
【０００４】
図４において、マイクロコンピュータ５１の出力に電流制限抵抗５２を接続し、５２に点灯あるいは点滅して表示する発光ダイオード５３を接続している。そして、マイクロコンピュータ５１の出力部にＬｏｗ電圧を出力することにより、電流制限抵抗２２で決定される電流が流れ、マイクロコンピュータ５１の同一ポート上に接続されている発光ダイオード５３はどの発光ダイオードも同じ明るさで点灯あるいは点滅されている。
【先行技術文献】
【特許文献】
【０００５】
【特許文献１】特開昭６１−５６６９３号公報
【発明の概要】
【発明が解決しようとする課題】
【０００６】
しかしながら、前記従来の構成では、複数個の発光ダイオードを同じ明るさで発光させても、表示部にはその表示内容により大小様々な大きさの表示窓があるために、表示窓を通して外方から見る時には、表示窓の大きさに応じてそれぞれの発光ダイオードの明るさに差が出てきて光ムラが発生し、視認性が悪くなるという課題があった。
【０００７】
また、光ムラを少なくするために、発光ダイオードに流れる電流値を個々に設定して夫々の発光ダイオードの明るさに差を設けることも考えられるが、マイクロコンピュータのポート数が足りなくなり、対応するためには、プリント基板が大きくなるという課題があった。
【０００８】
本発明は、前記従来の課題を解決するもので、操作表示部の表示窓の大きさに差があっても、簡単な構成で、光ムラを抑制し、視認性を高めた洗濯機を提供することを目的とする。
【課題を解決するための手段】
【０００９】
前記従来の課題を解決するために、本発明の洗濯機は、操作及び表示を行う操作表示装置が設けられ、前記操作表示部は、上面側に設けられた表示ケースと、下面側に設けられたコントローラカバーと、前記表示ケースの表面に貼付され透明または半透明材料から成り表面または裏面に印刷されたパネルシートと、前記表示ケースと前記コントローラカバーの間に収納され、入力設定を行なうための複数のタクトスイッチや設定内容や進行状況などを表示するための発光ダイオードからなる複数の発光素子などの電子部品を搭載したプリント基板とを備え、前記表示ケースは、前記発光素子に対応して複数の枠が小さい小枠表示窓と枠が大きい大枠表示窓とで構成された表示窓を形成するとともに、前記各発光素子を上方から囲むように遮光リブを形成し、前記プリント基板は、前記発光素子取付け側表面に、前記小枠表示窓に対応して明度の低い暗色印刷部がシルク印刷され、前記大枠
表示窓に対応して明度の高い明色印刷部がシルク印刷されたものである。
【００１０】
これによって、操作表示部の表示窓の大きさに大小があっても、簡単な構成で、表示部全体の光ムラを抑制し、視認性を高めることができる。
【発明の効果】
【００１１】
本発明の洗濯機は、操作表示部の表示窓の大きさに大小があっても、簡単な構成で、表示部全体の光ムラを抑制し、視認性を高めることができる。
【図面の簡単な説明】
【００１２】
【図１】本発明の実施の形態における洗濯機の縦断面図
【図２】同洗濯機の制御装置を含む操作表示部の縦断面図
【図３】同洗濯機の制御装置を含む操作表示部の部分平面図
【図４】従来の洗濯機の制御装置の部分回路構成図
【発明を実施するための形態】
【００１３】
第１の発明は、操作及び表示を行う操作表示装置が設けられ、前記操作表示部は、上面側に設けられた表示ケースと、下面側に設けられたコントローラカバーと、前記表示ケースの表面に貼付され透明または半透明材料から成り表面または裏面に印刷されたパネルシートと、前記表示ケースと前記コントローラカバーの間に収納され、入力設定を行なうための複数のタクトスイッチや設定内容や進行状況などを表示するための発光ダイオードからなる複数の発光素子などの電子部品を搭載したプリント基板とを備え、前記表示ケースは、前記発光素子に対応して複数の枠が小さい小枠表示窓と枠が大きい大枠表示窓とで構成された表示窓を形成するとともに、前記各発光素子を上方から囲むように遮光リブを形成し、前記プリント基板は、前記発光素子取付け側表面に、前記小枠表示窓に対応して明度の低い暗色印刷部がシルク印刷され、前記大枠表示窓に対応して明度の高い明色印刷部がシルク印刷されたものである。
【００１４】
これにより、操作表示部の表示窓の大きさに大小があっても、発光ダイオードを個々に電流調整して明るさに差を設けることなく、表示部全体の光ムラを無くし、視認性を高めることができる。
【００１５】
以下、本発明の実施の形態について、図面を参照しながら説明する。また、この実施の形態によって本発明が限定されるものではない。
【００１６】
（実施の形態１）
図１は、本発明の実施の形態における洗濯機の縦断面図である。
【００１７】
図１において、筐体２１は、内部に複数のサスペンション２２によって外槽２３を懸垂防振支持している。洗濯・脱水軸２４は、中空の２軸構造としている。洗濯兼脱水槽２５は、側壁に多数の脱水孔（図示せず）を有するとともに、内周の上部に振動低減用の流体バランサ２６を有し、中央底部には、衣類攪拌用のパルセータ２７が配設されている。
【００１８】
伝達機構部２８は、内部に洗濯時の減速ギア（図示せず）を内蔵している。制御装置１２によりインバータ駆動させるモータ２９は外槽２３の外底部に取り付けられ、伝達機構部２８を介し、パルセータ２７、及び洗濯兼脱水槽２５を回転させる。
【００１９】
筐体２１の上部には、上部枠体３０を設け、上部枠体３０の前部には、各種の入力設定を行ない、設定内容や進行状況などを表示する操作表示部３１を配設している。そして、操作表示部３１の内方には、モータ２９等を制御し、洗い，すすぎ，脱水の一連の行程を
逐次制御する制御手段（図示せず）を有する制御装置１２が収設されている。
【００２０】
図２は、本発明の実施の形態における洗濯機の制御装置を含む操作表示部の縦断面図、図３は、同洗濯機の制御装置を含む操作表示部の部分平面図である。
【００２１】
図２、図３において、操作表示部３１の内方に設けられた制御装置１２は、表示ケース３と、表示ケース３に固定されたコントローラカバー８により形成される空間内に収納されている。
【００２２】
制御装置１２のプリント基板１には、入力設定を行なうための複数のタクトスイッチ１１や設定内容や進行状況などを表示するための発光ダイオードからなる複数の発光素子２などの電子部品が搭載されている。これらの複数のタクトスイッチ１１により操作部１０を構成し、複数の発光素子２により表示部９を構成している。制御装置１２は、プリント基板１と、操作部１０と、表示部９とから構成している。
【００２３】
表示ケース３の上面部には、発光素子２に対応して形成された複数の表示窓４が開口して形成されており、上方から発光素子２の点灯、点滅を視認することができるとともに、表示ケース３のプリント基板１側には、発光素子２の一つ一つを上方から囲むように遮光リブ５が形成されている。
【００２４】
また、表示窓４は、表示窓４に対応する表示内容により、開口面積が小さい小枠表示窓１５と開口面積が大きい大枠表示窓１６の２種類があり、小枠表示窓１５の部分が小枠表示部１９、大枠表示窓１６の部分が大枠表示部２０を形成している。
【００２５】
また、プリント基板１の発光素子２を装着した側の表面には、部品部分を除いて、小枠表示窓１５に対応して暗色印刷部１４を形成し、暗色印刷部１４には、明度の低いシルク印刷を施している。また、大枠表示窓１６に対応して明色印刷部１３を形成し、明色印刷部１３には、明度の高いシルク印刷を施している。
【００２６】
表示ケース３の上面側には、透明、または半透明材料から成るパネルシート６が設けられ、パネルシート６は、表面、または裏面にコースや操作表示に関する内容を印刷し、裏面に接着剤７を塗布して表示ケース３に貼りつけられている。
【００２７】
以上のように構成した洗濯機について、以下、その動作、作用を説明する。
【００２８】
使用者が操作表示部３１を操作して運転コース選択や水位設定などのスイッチ操作を行なうと、操作したスイッチに関連した特定の発光素子２が発光する。特定の発光素子２の光が小枠表示窓１５、大枠表示窓１６の表示窓４を通して使用者に視認され、洗濯機における特定の機能が実行されていることを知らせる。
【００２９】
この時、発光している表示窓４に隣接する表示窓４に光が漏れないように、発光している発光素子２の光の大部分は、遮光リブ５によって遮られるが、発光素子２からの光は、表示ケース３の裏面側全体に反射してプリント基板１に向かう。
【００３０】
プリント基板１に向かった光は、大枠表示窓１６の部分は空間部が大きいので、途中で拡散する。プリント基板１には、大枠表示窓１６に対応して明度の高い明色印刷部１３がシルク印刷してあるので、明色印刷部１３の表面で反射した光が再び大枠表示窓１６に向かうことで明るさが増し、大枠表示窓１６を明るく光らせることができ、視認性を高めることができる。
【００３１】
また、プリント基板１に向かった光は、小枠表示窓１５の部分は空間部が小さいので、途中での拡散が少なく、強い光のままとなる。プリント基板１には、小枠表示窓１５に対応して明度の低い暗色印刷部１４がシルク印刷してあるので、暗色印刷部１４での反射が抑えられ、小枠表示窓１５が明るくなりすぎるのを防ぎ、大枠表示窓１６を見るのと同等の光度の光となり、視認性をより高めることができる。
【００３２】
以上のように、本実施の形態においては、表示ケース３は、発光素子２に対応して複数の枠が小さい小枠表示窓１５と枠が大きい大枠表示窓１６とで構成された表示窓４を形成するとともに、各発光素子２を上方から囲むように遮光リブ５を形成し、プリント基板１は、発光素子２取付け側表面に、小枠表示窓１５に対応して明度の低い暗色印刷部１４がシルク印刷され、大枠表示窓１６に対応して明度の高い明色印刷部１３がシルク印刷された構成とすることにより、操作表示部３１の表示窓４の大きさに大小があっても、発光素子２を個々に電流調整して明るさに差を設けることなく、表示部９全体の光ムラを無くし、視認性を高めることができる。
【産業上の利用可能性】
【００３３】
以上のように、本発明にかかる洗濯機は、操作表示部の表示窓の大きさに大小があっても、表示部全体の発光ダイオードによる光ムラを無くし、視認性を高めることができるので、発光ダイオードを搭載した操作表示部を有する電化機器等の用途に適用できる。
【符号の説明】
【００３４】
１  プリント基板
２  発光素子
３  表示ケース
４  表示窓
５  遮光リブ
６  パネルシート
８  コントローラカバー
１１  タクトスイッチ
１２  制御装置
１３  明色印刷部
１４  暗色印刷部
１５  小枠表示窓
１６  大枠表示窓
２１  筐体
２３  外槽
２５  洗濯兼脱水槽
２７  パルセータ
２９  モータ
３０  上部枠体
３１  操作表示部
【図１】
2017018189.tif 000003
【図２】
2017018189.tif 000004
【図３】
2017018189.tif 000005
【図４】
2017018189.tif 000006